(57)【要約】【課題】簡易な構造で、施工性のよい家具を提供すること。【解決手段】家具（１）は、壁面（１００）に取り付けられるベース部材（２）と、ベース部材上に乗り上げて保持される化粧部材（３）とを備える。ベース部材（２）は、壁面に沿って左右方向に長く延びる壁面取付部（２０）と、壁面取付部から前方に延びるベース側延出部（２１，２２）とを含み、化粧部材（３）は、壁面取付部に対向して左右方向に長く延びる垂直部（３０）と、垂直部から後方に延びる化粧側延出部（３１，３２）とを含み、ベース側延出部とその上に乗る化粧側延出部とは、互いに係合する凹凸形状を有し、化粧部材は、凹凸形状によって、前後方向の位置が固定される。【選択図】図２
2018115513.tif 000002
【特許請求の範囲】
【請求項１】
壁面に取り付けられるベース部材と、
前記ベース部材上に乗り上げて保持される化粧部材とを備える家具であって、
前記ベース部材は、前記壁面に沿って左右方向に長く延びる壁面取付部と、前記壁面取付部から前方に延びるベース側延出部とを含み、
前記化粧部材は、前記壁面取付部に対向して左右方向に長く延びる垂直部と、前記垂直部から後方に延びる化粧側延出部とを含み、
前記ベース側延出部とその上に乗る前記化粧側延出部とは、互いに係合する凹凸形状を有し、
前記化粧部材は、前記凹凸形状によって、前後方向の位置が固定される、家具。
【請求項２】
前記ベース側延出部と前記化粧側延出部とは、前後方向の長さが同一である、請求項１に記載の家具。
【請求項３】
前記ベース側延出部の先端部は、前記化粧部材の前記垂直部に当接し、
前記化粧側延出部の先端部は、前記ベース部材の前記壁面取付部に当接し、
前記凹凸形状は、前記ベース側延出部の前方側に設けられるベース側凸部と、前記ベース側凸部に隣接し前記ベース側延出部の後方側に設けられるベース側凹部と、前記化粧側延出部の前方側に設けられる化粧側凹部と、前記化粧側凹部に隣接し前記化粧側延出部の後方側に設けられる化粧側凸部とを有する、請求項１または２に記載の家具。
【請求項４】
前記ベース側凸部の前後方向長さは、前記ベース側延出部の前後方向長さの１／２であり、前記化粧側凹部の前後方向長さは、前記化粧側延出部の前後方向長さの１／２である、請求項３に記載の家具。
【請求項５】
前記ベース側延出部は、前記壁面取付部の上方領域に設けられる第１ベース側延出部と、前記壁面取付部の下方領域に設けられる第２ベース側延出部とを有し、
前記化粧側延出部は、前記垂直部の上方領域に設けられる第１化粧側延出部と、前記垂直部の下方領域に設けられる第２化粧側延出部とを有する、請求項１〜４のいずれかに記載の家具。
【請求項６】
前記ベース部材の前記壁面取付部は、前記第１ベース側延出部の高さ位置よりも上方に突出して延びており、前記化粧部材の前記垂直部は、前記第１化粧側延出部の高さ位置よりも上方に突出して延びている、請求項５に記載の家具。
【請求項７】
前記ベース部材の前記壁面取付部は、前記第２ベース側延出部の高さ位置よりも下方に突出して延びており、前記化粧部材の前記垂直部は、前記第２化粧側延出部の高さ位置よりも下方に突出して延びている、請求項５または６に記載の家具。
【請求項８】
前記ベース部材と前記化粧部材とは、同一形状である、請求項１〜７のいずれかに記載の家具。
【請求項９】
前記ベース部材と前記化粧部材とを組み合わせた構造の断面形状は、回転対称の形状である、請求項１〜７のいずれかに記載の家具。
【請求項１０】
前記ベース部材と前記化粧部材とを組み合わせた構造の断面形状の左右方向両端部には、その左右方向両端部を覆うキャップ部材が取り付けられている、請求項１〜９のいずれかに記載の家具。
【発明の詳細な説明】
【技術分野】
【０００１】
この発明は、家具に関し、壁面に取り付けられるベース部材と、ベース部材上に乗り上げて保持される化粧部材とを備える家具に関する。
【背景技術】
【０００２】
一般的に、建物の壁面には、インテリアなどを吊り下げ・載置するための家具が取り付けられている。このような壁面に取り付けられる家具として、特開平１０−１９６０９５号公報（特許文献１）が知られている。
【０００３】
日本建築で用いられる長押としては、特開平１１−２９３９０６号公報（特許文献２）が知られている。特許文献２には、壁面に取り付けられる水平材と、水平材の上部に固定される長押とを有する長押の取付構造が開示されている。
【先行技術文献】
【特許文献】
【０００４】
【特許文献１】特開平１０−１９６０９５号公報
【特許文献２】特開平１１−２９３９０６号公報
【発明の概要】
【発明が解決しようとする課題】
【０００５】
特許文献１の家具は、壁面に取り付けられる取付材と長押本体とは、上部において、長押本体の係合舌片が取付材の係合窪みに嵌め込まれて係合固定され、下部において、長押本体の掛止突起が取付材の係合窪みに係止固定されている。そのため、上部または下部の係止状態が十分でない場合には、長押本体が外れてしまうおそれがあるとともに、構造が複雑である。
【０００６】
特許文献２の長押は、長押と水平材を固定具で固定する際に、長押を水平材に対してビスで固定する必要があり、施工性が悪い。
【０００７】
本発明は、上記のような課題を解決するためになされたものであって、その目的は簡易な構造で、施工性のよい家具を提供することを目的とする。
【課題を解決するための手段】
【０００８】
本発明のある局面による家具は、壁面に取り付けられるベース部材と、ベース部材上に乗り上げて保持される化粧部材とを備える家具であって、ベース部材は、壁面に沿って左右方向に長く延びる壁面取付部と、壁面取付部から前方に延びるベース側延出部とを含み、化粧部材は、壁面取付部に対向して左右方向に長く延びる垂直部と、垂直部から後方に延びる化粧側延出部とを含み、ベース側延出部とその上に乗る化粧側延出部とは、互いに係合する凹凸形状を有し、化粧部材は、凹凸形状によって、前後方向の位置が固定される。
【０００９】
好ましくは、ベース側延出部と化粧側延出部とは、前後方向の長さが同一である。
【００１０】
好ましくは、ベース側延出部の先端部は、化粧部材の垂直部に当接し、化粧側延出部の先端部は、ベース部材の壁面取付部に当接し、凹凸形状は、ベース側延出部の前方側に設けられるベース側凸部と、ベース側凸部に隣接しベース側延出部の後方側に設けられるベース側凹部と、化粧側延出部の前方側に設けられる化粧側凹部と、化粧側凹部に隣接し化粧側延出部の後方側に設けられる化粧側凸部とを有する。
【００１１】
好ましくは、ベース側凸部の前後方向長さは、ベース側延出部の前後方向長さの１／２であり、化粧側凹部の前後方向長さは、化粧側延出部の前後方向長さの１／２である。
【００１２】
好ましくは、ベース側延出部は、壁面取付部の上方領域に設けられる第１ベース側延出部と、壁面取付部の下方領域に設けられる第２ベース側延出部とを有し、化粧側延出部は、垂直部の上方領域に設けられる第１化粧側延出部と、垂直部の下方領域に設けられる第２化粧側延出部とを有する。
【００１３】
好ましくは、ベース部材の壁面取付部は、第１ベース側延出部の高さ位置よりも上方に突出して延びており、化粧部材の垂直部は、前１化粧側延出部の高さ位置よりも上方に突出して延びている。
【００１４】
好ましくは、ベース部材の壁面取付部は、第２ベース側延出部の高さ位置よりも下方に突出して延びており、化粧部材の垂直部は、第２化粧側延出部の高さ位置よりも下方に突出して延びている。
【００１５】
好ましくは、ベース部材と化粧部材とは、同一形状である。
【００１６】
好ましくは、ベース部材と化粧部材とを組み合わせた構造の断面形状は、回転対称の形状である。
【００１７】
好ましくは、ベース部材と化粧部材とを組み合わせた構造の断面形状の左右方向両端部には、その左右方向両端部を覆うキャップ部材が取り付けられている。
【発明の効果】
【００１８】
本発明によれば、簡易な構造で、施工性のよい家具を提供することができる。
【図面の簡単な説明】
【００１９】
【図１】本発明の実施の形態に係る家具の斜視図である。
【図２】本発明の実施の形態に係る家具を壁面に取り付けた状態を示す断面図である。
【図３】本発明の実施の形態におけるキャップ部材であり、（ａ）は正面図であり、（ｂ）は側面図である。
【図４】本発明の実施の形態において、化粧部材をベース部材上に乗り上げて保持される様子を示す側面図である。
【図５】本発明の実施の形態において、キャップ部材を取り付ける様子を示す斜視図である。
【図６】本発明の実施の形態に係る家具の変形例を示す側面図である。
【図７】本発明の実施の形態に係る家具の他の変形例を示す側面図である。
【図８】本発明の実施の形態に係る家具の使用例を示す模式的な断面図である。
【図９】本発明の実施の形態に係る家具の他の使用例を示す模式的な断面図である。
【発明を実施するための形態】
【００２０】
本発明の実施の形態について図面を参照しながら詳細に説明する。なお、図中同一または相当部分には同一符号を付してその説明は繰り返さない。
【００２１】
図１〜３を参照して、本発明の実施の形態に係る家具１について説明する。図１の矢印Ａ１で示す方向を左右方向という。図２において、矢印Ａ２で示す方向を上下方向、矢印Ａ３で示す方向を前方、その反対方向を後方という。
【００２２】
本発明の実施の形態に係る家具１は、建物の壁面１００に取り付けられるラックとして用いられ、たとえば、小物などのインテリアを飾る、衣類ハンガーや傘を直接掛ける、または、市販のフックを利用してバッグなどを掛けるために用いられる。家具１は、屋内、屋外を問わず建物の壁面１００に取り付けられればよいが、居室または玄関周りの非居室の壁面１００に取り付けられることが好ましい。
【００２３】
本発明の実施の形態に係る家具１は、壁面１００に取り付けられるベース部材２と、ベース部材２上に乗り上げて保持される化粧部材３と、それらの左右方向両端部を覆うキャップ部材４とを備える。なお、ベース部材２、化粧部材３およびキャップ部材４は、それぞれ一体成型されている。
【００２４】
以下、ベース部材２、化粧部材３およびキャップ部材４について、詳細に説明する。
【００２５】
まず、図１，２を参照して、ベース部材２について説明する。ベース部材２は、壁面１００に沿って左右方向に長く延びる壁面取付部２０と、壁面取付部２０から前方に延びるベース側延出部２１，２２とを含む。具体的には、ベース側延出部２１，２２は、水平方向に延びている。壁面取付部２０の左右方向一方端部および他方端部には、固定具５が貫通する壁面側貫通孔２８０がそれぞれ設けられている。これらの壁面側貫通孔２８０に、固定具５が差し込まれることで、壁面１００にベース部材２が取り付けられる。固定具５は、たとえば、壁固定用のビスである。
【００２６】
壁面取付部２０は、上下方向に延び、上方部２７と中央部２８と下方部２９とを有する。上方部２７は、第１ベース側延出部２１の高さ位置よりも上方に突出して延びている。下方部２９は、第２ベース側延出部２２の高さ位置よりも下方に突出して延びている。中央部２８は、上方部２７と下方部２９とを連結している。上方部２７の上下方向の長さは、下方部２９の上下方向長さよりも長く形成されている。具体的には、上方部２７の上下方向の長さは、下方部２９の上下方向の長さと、下述する、化粧部材３の第１化粧側凸部３３の上下方向長さとを足した長さである。上方部２７が設けられていることで、ハンガーなどを掛ける際に、ハンガーの先端が壁面１００に当たらないため、壁面１００に傷がつかない。なお、上方部２７、中央部２８および下方部２９の前後方向の長さは、略同一である。
【００２７】
ベース側延出部は、壁面取付部２０の上方領域に設けられる第１ベース側延出部２１と、壁面取付部２０の下方領域に設けられる第２ベース側延出部２２とを有する。つまり、第１ベース側延出部２１は、第２ベース側延出部２２の上方に設けられ、第２ベース側延出部２２は、第１ベース側延出部２１の下方に設けられている。なお、第１ベース側延出部２１および第２ベース側延出部２２は、壁面取付部２０に対して垂直に延びている。つまり、第１ベース側延出部２１および第２ベース側延出部２２は、水平方向に延在している。なお、第１ベース側延出部２１および第２ベース側延出部２２の前後方向長さは、略同一である。
【００２８】
第１ベース側延出部２１は、第１ベース側延出部２１の前方側に設けられる第１ベース側凸部２３と、第１ベース側凸部２３に隣接し第１ベース側延出部２１の後方側に設けられる第１ベース側凹部２４とを有する。第１ベース側凸部２３の前後方向長さは、第１ベース側延出部２１の前後方向長さＬの１／２であり、１／２Ｌである。第１ベース側凹部２４の前後方向の長さは、第１ベース側延出部２１の前後方向長さＬの１／２であり、１／２Ｌである。第１ベース側凸部２３および第１ベース側凹部２４は、左右方向に延在している。すなわち、第１ベース側延出部２１の上面は、第１ベース側凸部２３と第１ベース側凹部２４とからなる。なお、第１ベース側凹部２４の左右方向両端部には、第１ビス６が差し込まれる第１ベース側貫通孔２４０が設けられている。
【００２９】
第１ベース側延出部２１と同様に、第２ベース側延出部２２は、第２ベース側延出部２２の前方側に設けられる第２ベース側凸部２５と、第２ベース側凸部２５に隣接し第２ベース側延出部２２の後方側に設けられる第２ベース側凹部２６とを有する。第２ベース側凸部２５の前後方向長さは、第２ベース側延出部２２の前後方向長さＬの１／２であり、１／２Ｌである。第２ベース側凹部２６の前後方向の長さは、第２ベース側延出部２２の前後方向長さＬの１／２であり、１／２Ｌである。第２ベース側凸部２５および第２ベース側凹部２６は、左右方向に延在している。すなわち、第２ベース側延出部２２の上面は、第２ベース側凸部２５と第２ベース側凹部２６とからなる。なお、第２ベース側凸部２５の左右方向両端部には、第２ビス７が差し込まれる第２ベース側貫通孔２５０が設けられている。
【００３０】
次に、化粧部材３について説明する。化粧部材３は、壁面取付部２０に対向して左右方向に長く延びる垂直部３０と、垂直部３０から後方に延びる化粧側延出部３１，３２とを含む。具体的には、化粧側延出部３１，３２は、水平方向に延びている。
【００３１】
垂直部３０は、上下方向に延び、上方部３７と中央部３８と下方部３９とを有する。上方部３７は、下述する第１化粧側延出部３１の高さ位置よりも上方に突出して延びている。ここで、垂直とは、正確に水平面に対して直角の方向に延びている場合だけでなく、水平面に対してやや傾いている場合も含む。下方部３９は、第２ベース側延出部２２の高さ位置よりも下方に突出して延びている。中央部３８は、上方部３７と下方部３９とを連結している。下方部３９の上下方向の長さは、上方部３７の上下方向長さよりも長く形成されている。具体的には、下方部３９の上下方向の長さは、上方部３７の上下方向の長さと、ベース部材２の第２ベース側凸部２５の上下方向長さとを足した長さである。なお、上方部３７、中央部３８および下方部３９の前後方向の厚みは、略同一である。
【００３２】
化粧側延出部は、垂直部３０の上方領域に設けられる第１化粧側延出部３１と、垂直部３０の下方領域に設けられる第２化粧側延出部３２とを有する。つまり、第１化粧側延出部３１は、第２化粧側延出部３２の上方に設けられ、第２化粧側延出部３２は、第１化粧側延出部３１の下方に設けられている。なお、第１化粧側延出部３１および第２化粧側延出部３２は、垂直部３０に対して垂直に延びている。第１化粧側延出部３１および第２化粧側延出部３２の前後方向長さは、略同一である。
【００３３】
また、ベース側延出部２１，２２と化粧側延出部３１，３２とは、前後方向の長さが同一である。これにより、第１ベース側延出部２１の先端部は、化粧部材３の中央部３８に当接し、第１化粧側延出部３１の先端部は、ベース部材２の上方部２７に当接する。さらに、第２ベース側延出部２２の先端部は、化粧部材３の下方部３９に当接し、第２化粧側延出部３２の先端部は、ベース部材２の中央部２８に当接する。
【００３４】
第１化粧側延出部３１は、第１化粧側延出部３１の前方側に設けられる第１化粧側凸部３３と、第１化粧側凸部３３に隣接し第１化粧側延出部３１の後方側に設けられる第１化粧側凹部３４とを有する。第１化粧側凸部３３の前後方向長さは、第１化粧側延出部３１の前後方向長さＬの１／２であり、１／２Ｌである。第１化粧側凹部３４の前後方向の長さは、第１化粧側延出部３１の前後方向長さＬの１／２であり、１／２Ｌである。第１化粧側凸部３３および第１化粧側凹部３４は、左右方向に延在している。すなわち、第１化粧側延出部３１の上面は、第１化粧側凸部３３と第１化粧側凹部３４とからなる。なお、第１化粧側凸部３３の左右方向両端部には、第１ビス６が貫通する第１化粧側貫通孔３３０が設けられている。第１化粧側貫通孔３３０は、上述した第１ベース側貫通孔２４０と対応する位置に設けられている。
【００３５】
第１化粧側延出部３１と同様に、第２化粧側延出部３２は、第２化粧側延出部３２の前方側に設けられる第２化粧側凸部３５と、第２化粧側凸部３５に隣接し第１化粧側延出部３１の後方側に設けられる第２化粧側凹部３６とを有する。第２化粧側凸部３５の前後方向長さは、第１化粧側延出部３１の前後方向長さＬの１／２であり、１／２Ｌである。第２化粧側凹部３６の前後方向の長さは、第２化粧側延出部３２の前後方向長さＬの１／２であり、１／２Ｌである。第２化粧側凸部３５および第２化粧側凹部３６は、左右方向に延在している。すなわち、第２化粧側延出部３２の上面は、第２化粧側凸部３５と第２化粧側凹部３６とからなる。なお、第２化粧側凹部３６の左右方向両端部には、第２ビス７が貫通する第２化粧側貫通孔３６０が設けられている。第２化粧側貫通孔３６０は、上述した第２ベース側貫通孔２５０と対応する位置に設けられている。
【００３６】
化粧部材３の垂直部３０の外表面、上方部３７の内表面および第１化粧側延出部３１の外表面には、コーティング樹脂が施されていてもよい。傷つきやすい箇所にコーティング樹脂を施すことで、家具１の耐久性を向上させることができる。
【００３７】
化粧部材３がベース部材２上に乗り上げて保持される場合、第１ベース側延出部２１と第１化粧側延出部３１とは、互いに係合する第１凹凸形状を有し、第２ベース側延出部２２と第２化粧側延出部３２とは、互いに係合する第２凹凸形状を有する。具体的には、第１凹凸形状は、第１ベース側凸部２３と第１ベース側凹部２４と第１化粧側凹部３４と第１化粧側凸部３３とを有する。第２凹凸形状は、第２ベース側凸部２５と第２ベース側凹部２６と第２化粧側凹部３６と第２化粧側凸部３５とを有する。
【００３８】
ベース部材２と化粧部材３とは、同一形状であってもよい。すなわち、化粧部材３は、ベース部材２を約１８０度回転させた構造である。ベース部材２と化粧部材３とを比較すると、第１ベース側延出部２１と第２化粧側延出部３２とが同一であり、第２ベース側延出部２２と第１化粧側延出部３１とが同一であり、ベース部材２の上方部２７と化粧部材３の下方部３９とが同一であり、ベース部材２の下方部２９と化粧部材３の上方部３７とが同一である。これにより、１つの金型でベース部材２および化粧部材３を製造することができるため、生産性がよい。
【００３９】
図１，３を参照して、キャップ部材４について説明する。キャップ部材４は、ベース部材２と化粧部材３とを組み合わせた構造の左右方向両端部にそれぞれ取り付けられている。図３を特に参照して、キャップ部材４は、平板形状の本体部４０と、本体部４０から垂直に突出する第１係止部４５および第２係止部４６とを含む。
【００４０】
本体部４０は、平板形状の本体部４０の角部から外方に突出する４つの突出部４１，４２，４３，４４を有する。ベース部材２と化粧部材３とを組み合わせた構造にキャップ部材４を取り付けると、突出部４１は、ベース部材２の上方部２７に当接し、突出部４２は、化粧部材３の上方部３７に当接し、突出部４３は、ベース部材２の下方部２９に当接し、突出部４４は、化粧部材３の下方部３９に当接する。
【００４１】
第１係止部４５は、本体部４０の上方に設けられ、第２係止部４６は、本体部４０の下方に設けられる。具体的には、第１係止部４５は、第２係止部４６の上方に設けられる。キャップ部材４の第１係止部４５の上端から第２係止部４６の下端までの上下方向長さＬ２は、ベース部材２と化粧部材３とを組み合わせた構造において、第１ベース側延出部２１の下端から第２化粧側延出部３２の上端までの上下方向の長さＬ１と略同一である。なお、第１係止部４５には、前後方向に整列する２個の第１キャップ側貫通孔４５０，４５１が設けられている。第２係止部４６には、前後方向に整列する２個の第２キャップ側貫通孔４６０，４６１が設けられている。
【００４２】
また、ベース部材２と化粧部材３とを組み合わせた構造の断面形状は、回転対称の形状である。これにより、左右方向両端に取り付けるキャップ部材４の形状を同一にすることができるため、１つの金型でキャップ部材４を製造することができ、より生産性を向上することができる。
【００４３】
次に、図４，５を参照して、家具１の組立方法について説明する。
【００４４】
まず、図４に示すように、ベース部材２を壁面１００に取り付ける。具体的には、ベース部材２の壁面取付部２０を壁面１００に押し付け、壁面取付部２０の左右方向両端部にそれぞれ設けられる壁面側貫通孔２８０に固定具５を差し込む。これにより、ベース部材２が壁面１００に取り付けられる。
【００４５】
さらに、化粧部材３をベース部材２上に乗せる。具体的には、第１化粧側延出部３１を第１ベース側延出部２１の上に乗せ、第２化粧側延出部３２を第２ベース側延出部２２の上に乗せて、凹凸形状を係合させる。これにより、第１化粧側凸部３３および第１化粧側凹部３４が第１ベース側凹部２４および第１ベース側凸部２３の上に乗って互いに係合し、第２化粧側凸部３５および第２化粧側凹部３６が第２ベース側凹部２６および第２ベース側凸部２５の上に乗って互いに係合する。このように、壁面１００に取り付けられるベース部材２のベース側延出部２１，２２上に化粧部材３の化粧側延出部３１，３２を乗せるだけで、化粧部材３の前後方向の位置が固定されるため、施工性がよい。
【００４６】
次に、図５に示すように、ベース部材２と化粧部材３とを組み合わせた構造の左右方向の両端部に、キャップ部材４をそれぞれ取り付ける。具体的には、キャップ部材４の第１係止部４５をベース部材２の第１ベース側延出部２１の下方に配置させ、キャップ部材４の第２係止部４６を化粧部材３の第２化粧側延出部３２の上方に配置させる。このように、キャップ部材４をベース部材２と化粧部材３とを組み合わせた構造に取り付けるだけで、化粧部材３の上下方向の位置が固定されるため、施工性がよい。
【００４７】
上下方向に重なった第１化粧側貫通孔３３０、第１ベース側貫通孔２４０（図２）および第１キャップ側貫通孔４５０に対して、上方から第１ビス６を差し込む。これらの貫通孔３３０，２４０，４５０が壁面取付部２０寄りに設けられているため、容易に第１ビス６を貫通孔３３０，２４０，４５０に差し込むことができる。
【００４８】
さらに、上下方向に重なった第２化粧側貫通孔３６０、第２ベース側貫通孔２５０（図２）および第２キャップ側貫通孔４６１に対して、下方から第２ビス７を差し込む。貫通孔３６０，２５０，４６１が垂直部３０寄りに設けられているため、家具１の下方にベットなどが配置され、ベッド側から家具１を見上げた場合でも、第２ビス７が見えないため、意匠性を向上することができる。
【００４９】
なお、図６に示されるように、凹凸形状は、第１，２ベース側延出部２１，２２および第１，２化粧側延出部３１，３２の前後方向全長に渡って設けられなくてもよい。具体的には、家具１Ａの第１ベース側延出部２１は、第１ベース側凸部２３より上下方向の厚さが厚い第１ベース側肉厚部２１０Ａを介して壁面取付部２０に繋がり、第２ベース側延出部２２は、第２ベース側凸部２５より上下方向の厚さが厚い第２ベース側肉厚部２２０Ａを介して壁面取付部２０に繋がる。同様に、第１化粧側延出部３１は、第１化粧側凸部３３より上下方向の厚さが厚い第１化粧側肉厚部３１０Ａを介して垂直部３０と繋がり、第２化粧側延出部３２は、第２化粧側凸部３５より上下方向の厚さが厚い第２ベース側肉厚部２２０Ａを介して壁面取付部２０と繋がる。
【００５０】
これにより、第１，２ベース側延出部２１，２２と壁面取付部２０とが、上下方向の厚さが厚い第１，２ベース側肉厚部２１０Ａ，２２０Ａで繋がっているため、ベース部材２の強度を向上させることができる。同様に、第１，２化粧側延出部３１，３２と垂直部３０とが、上下方向の厚さが厚い第１，２化粧側肉厚部３１０Ａ，３２０Ａで繋がっているため、化粧部材３の強度を向上させることができる。さらに、凹凸形状が前後方向全長に渡って設けられていないため、家具１Ａ全体の強度を向上させることができる。
【００５１】
また、第１，２ベース側延出部２１，２２および第１，２化粧側延出部３１，３２は、重力の方向に対して、正確に垂直な方向に延びる必要はなく、第１，２ベース側延出部２１，２２上に第１，２化粧側延出部３１，３２を乗せることができる程度に水平であれば足りる。たとえば、図７に示されるように、家具１Ｂの第１，２ベース側延出部２１Ｂ，２２Ｂは、壁面取付部２０から前方に向かって斜め上方に延びていてもよく、第１，２化粧側延出部３１Ｂ，３２Ｂは、垂直部３０から後方に向かって斜め下方に延びていてもよい。
【００５２】
また、図８を参照して、家具１の下方に係止体５０が設けられていてもよい。たとえば、係止体５０は、第２ベース側延出部２２の下方に取り付けられる連結部５１と、連結部５１から下方にのびるフック状の係止部５２とを有する。連結部５１が第２ベース側延出部２２の下方に固定されている場合、係止体５０は、固定フックであってもよい。また、連結部５１が家具１の左右方向に沿って延びるレールである場合、係止体５０は、係止部５２がレールに沿って左右方向に移動する可動フックであってもよい。なお、係止部５２は、フック状に限定されず、たとえば、正面視略Ｕ字形状のタオル掛けなどであってもよい。
【００５３】
また、図９を参照して、家具１の下方には、照明６１が設けられていてもよい。たとえば、照明６１は、家具１の左右方向に沿って延びる壁面１００側を照らすライン照明である。この場合、照明６１の配線６２は、壁面取付部２０、第１ベース側延出部２１、垂直部３０および第２化粧側延出部３２で四方が囲われる空間６０内に収納されていてもよい。これにより、その空間６０内を有効活用して、美感を損なわないようにするとともに、屋内を装飾するインテリアとすることができる。
【００５４】
また、家具１の第１化粧側延出部３１の上方には、たとえばスマートフォンや携帯などの小型電子機器を載置してもよい。家具１の近傍にコンセントを設けることで、家具１上に載置したまま、これらを充電することが可能である。
【００５５】
また、上記実施の形態において、家具１は、キャップ部材４を備えるとしたが、必ずしもキャップ部材４は設けられなくてもよい。
【００５６】
また、上記実施の形態において、ベース側延出部は、第１ベース側延出部２１および第２ベース側延出部２２を有し、化粧側延出部は、第１化粧側延出部３１および第２化粧側延出部３２を有するとして説明したが、ベース側延出部および化粧側延出部は、少なくとも１つずつ設けられていればよい。
【００５７】
また、凹凸形状は、ベース側延出部および化粧側延出部の左右方向全長に渡って設けられるとしたが、少なくとも左右方向長さの一部に設けられていればよい。
【００５８】
また、上記実施の形態における家具１は、ラックとして用いられるとして説明したが限定的ではなく、ベース側延出部２１，２２および化粧側延出部３１，３２の前後方向の長さ（奥行き長さ）を長くして、棚として用いてもよい。
【００５９】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６０】
１  家具、２  ベース部材、３  化粧部材、４  キャップ部材、５  固定具、６  第１ビス、７  第２ビス、２０  壁面取付部、２１，２１Ｂ  第１ベース側延出部、２２，２２Ｂ  第２ベース側延出部、２３  第１ベース側凸部、２４  第１ベース側凹部、２５  第２ベース側凸部、２６  第２ベース側凹部、２７，３７  上方部、２８，３８  中央部、２９，３９  下方部、３０  垂直部、３１，３１Ｂ  第１化粧側延出部、３２，３２Ｂ  第２化粧側延出部、３３  第１化粧側凸部、３４  第１化粧側凹部、３５  第２化粧側凸部、３６  第２化粧側凹部、４０  本体部、４１，４２，４３，４４  突出部、４５  第１係止部、４６  第２係止部、５０  係止体、５１  連結部、５２  係止部、６０  空間、６１  照明、６２  配線、１００  壁面、２１０Ａ  第１ベース側肉厚部、２２０Ａ  第２ベース側肉厚部、２４０  第１ベース側貫通孔、２５０  第２ベース側貫通孔、２８０  壁面側貫通孔、３１０Ａ  第１化粧側肉厚部、３２０Ａ  第２化粧側肉厚部、３３０  第１化粧側貫通孔、３６０  第２化粧側貫通孔、４５０，４５１  第１キャップ側貫通孔、４６０，４６１  第２キャップ側貫通孔。
【図１】
2018115513.tif 000003
【図２】
2018115513.tif 000004
【図３】
2018115513.tif 000005
【図４】
2018115513.tif 000006
【図５】
2018115513.tif 000007
【図６】
2018115513.tif 000008
【図７】
2018115513.tif 000009
【図８】
2018115513.tif 000010
【図９】
2018115513.tif 000011